(57)【特許請求の範囲】
【請求項１】
風を送り出す送風装置を設けるとともに、
建物の窓近傍の室内壁部に、前記風を前記窓に向けて吹き出す吹き出し口を窓用開口部に形成した建物であって、
前記窓用開口部は、当該窓用開口部の周縁部を構成する縁板を備えるとともに、室内の壁面を構成する内板と前記縁板とのコーナ部分を覆うコーナカバーを備え、
前記風が通るように前記コーナカバーを中空状に形成するとともに、当該コーナカバーにより前記内板と前記縁板との隙間を塞いで、当該コーナカバーに前記吹き出し口を形成したことを特徴とする建物。
【請求項２】
前記コーナカバーを前記窓用開口部の複数の辺に沿って形成することにより、前記吹き出し口を前記窓用開口部の複数の辺に沿って形成したことを特徴とする請求項１に記載の建物。
【請求項３】
前記風を前記吹き出し口に導く通気ダクトを、前記コーナカバー内に収容したことを特徴とする請求項１又は２に記載の建物。
【請求項４】
前記コーナカバーは、前記内板の室内側の板面よりも室外側、且つ前記縁板の室内側の端面よりも室内側に設けられていることを特徴とする請求項１乃至３のいずれかに記載の建物。
【請求項５】
前記コーナカバーの一部は前記縁板よりも前記窓用開口部内側へ延出しており、同延出部に前記窓側へ向けて前記吹き出し口が開口していることを特徴とする請求項１乃至４のいずれかに記載の建物。
【請求項６】
前記延出部は、前記窓に対向する対向面部を有し、
前記吹き出し口は、前記対向面部に開口していることを特徴とする請求項５に記載の建物。
【請求項７】
前記コーナカバーは、少なくとも前記窓用開口部の両側辺に上下方向へ延びるように設置されていることを特徴とする請求項１乃至６のいずれかに記載の建物。
【請求項８】
建物に設けられた複数の窓に対応させて前記吹き出し口を形成するとともに、送風装置から各吹き出し口への送風通路を形成したことを特徴とする請求項１乃至７のいずれかに記載の建物。
【請求項９】
複数の室内空間を一括して換気するセントラル換気装置を備えた建物であって、当該セントラル換気装置の送風部によって前記送風装置を構成したことを特徴とする請求項１乃至８のいずれかに記載の建物。
【請求項１０】
前記窓に結露が発生するか否かを判定する結露発生判定手段と、当該結露発生判定手段により結露が発生すると判定された場合に前記送風装置をＯＮ制御する送風制御手段とを備えたことを特徴とする請求項１乃至９のいずれかに記載の建物。
【請求項１１】
前記結露発生判定手段は、室内の水蒸気圧を検出するための水蒸気圧検出手段と、室内における窓周辺の温度を検出する温度検出手段と、結露が生じる場合の前記水蒸気圧及び前記窓周辺の温度の相関データを記憶したデータ記憶手段と、前記各種検出手段の検出結果と前記相関データを比較する比較手段とを備え、
前記送風制御手段は、前記比較手段の比較結果に基づいて前記送風装置をＯＮ制御することを特徴とする請求項１０に記載の建物。
【請求項１２】
複数個の建物ユニットで形成されるユニット建物であって、窓付きの所定の建物ユニットには前記送風装置及び前記室内壁部が予め組み込まれ、その建物ユニットを含む複数個の建物ユニットを並べて形成したことを特徴とする請求項１乃至１１のいずれかに記載の建物。
【発明の詳細な説明】
【技術分野】
【０００１】
本発明は、窓近傍に風吹き出し装置を備えた建物に関するものである。
【背景技術】
【０００２】
建物において、室内の気温が室外の気温よりも非常に高くなると、外気により低温となった窓とこれに接触する室内空気とに温度差が生じ、窓のガラス面に結露が生じる問題があった。
【０００３】
上記問題を解決する手段として、窓枠に断熱サッシを使用したり、複層ガラスを使用する手段が考えられえるが、これら手段においても窓周辺の温度低下は発生し結露が生じてしまう。つまり、窓枠やガラスの工夫のみでは限界がある。
【０００４】
これに対して、例えば、特許文献１では、室内暖房用のエアコンを結露防止用の送風装置として兼用し、当該エアコンからの温風を窓に向けて吹き出す構成が開示されている。また、室内に結露防止用の送風装置として専用ファンを設け、当該専用ファンにより天井近くの暖かい空気を窓にあてる構成が開示されている。これらの場合、窓の室内側が直接暖められ、結露を防止することができる。しかしながら、前者の構成においては、エアコンの配置に関して制約が生じてしまう。また、後者の構成においては、室内の外観を損ねてしまうおそれがある。
【特許文献１】特開平１０−１９６９８５号公報
【発明の開示】
【発明が解決しようとする課題】
【０００５】
本発明は、風の吹き出しに関する構成を良好なものとすることができる風吹き出し装置を備えた建物を提供することを目的とするものである。
【課題を解決するための手段】
【０００６】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００７】
本発明は、風を送り出す送風装置（ファンヒータ５１）を設けるとともに、建物の窓（ガラス窓１４）近傍の室内壁部（コーナカバー４０ａ〜４０ｃ）に、前記風を前記窓に向けて吹き出す吹き出し口（スリット４６）を形成したことを特徴とする。
【０００８】
この建物によれば、室内壁部に形成された吹き出し口から窓に向けて風を吹き出すことができるため、室内暖房用のエアコンを結露防止用に兼用する必要はなく、また結露防止用の専用ファンを室内に設ける必要もない。よって、風の吹き出しに関する構成を良好なものとすることができる。また、送風装置に温風吹き出し用のヒータを設けることで、窓に向けて温風を吹き出すことができる。これにより、室内の温度低下を招くことなく結露を防止することができ、さらには、いわゆるコールドドラフト現象の発生を防止することができる。
【０００９】
吹き出し口を、窓用開口部（窓用開口部１３）に形成することが好ましい。これにより、窓に対して近い位置から風を吹き出すことができる。
【００１０】
吹き出し口を、前記窓用開口部の複数の辺に沿って形成することが好ましい。これにより、窓に対して一方向から風を吹き出す構成に比べ、窓のより広い領域に風を当てることができ、結露の防止等を効率良く行うことができる。
【００１１】
窓用開口部は、当該窓用開口部の周縁部を構成する縁板（額縁２３〜２５）を備えるとともに、室内の壁面を構成する内板（内板１２）と前記縁板とのコーナ部分を覆うコーナカバー（コーナカバー４０ａ〜４０ｃ）を備えている。かかる構成において、前記風が通るように前記コーナカバーを中空状に形成するとともに、当該コーナカバーに前記吹き出し口を形成することが好ましい。これにより、送風装置からの風は、コーナカバー内を通って当該コーナカバーに形成された吹き出し口から窓に向けて吹き出される。本構成とすることにより、室内において吹き出し口が目立たなくなり、室内の外観を損なうことなく吹き出し口を設けることができる。なお、コーナカバーにより内板と縁板との隙間を塞ぐ構成とすることが好ましい。これにより、室内の気密性が高められ、さらには室内の気密性を高める機能を有するコーナカバーを有効利用して吹き出し口を設けることができる。
【００１２】
前記吹き出し口に前記風を導く通気ダクト（通気ダクト５５）を、前記コーナカバー内に収容することが好ましい。これにより、コーナカバーに形成された吹き出し口へ風を確実に導くことができる。また、通気ダクトはコーナカバー内に収容されているので、通気ダクトが室内にて露出することはなく、室内の外観を損なうことなく上記効果を得ることができる。なお、コーナカバーに吹き出し口を複数設けた構成においては、各吹き出し口に対応させて通気ダクトに複数の通気口を形成することが好ましい。これにより、送風装置からの風を各吹き出し口へ確実に導くことができる。
【００１３】
所定の奥行き寸法を有するように前記室内壁部を形成し、室外側に偏倚させて前記窓を配置するとともに、室内側に偏倚させて前記吹き出し口を形成することが好ましい。これにより、窓と吹き出し口との間に所定の間隔が生じ、風が窓の広い範囲に当たることで、結露の防止等を効率良く行うことができる。
【００１４】
建物に設けられた複数の窓に対応させて前記吹き出し口を形成するとともに、送風装置から各吹き出し口への送風通路（通気ダクト７３ｅ，７３ｆ）を形成することが好ましい。これにより、複数の窓に対する結露の防止等を低コストで実現することが可能となる。
【００１５】
複数の室内空間を一括して換気するセントラル換気装置を備えた建物においては、当該セントラル換気装置の送風部（送風装置７２）によって前記送風装置を構成することが好ましい。これにより、セントラル換気と結露の防止とが一の送風装置により果たされ、低コスト化を図りつつ両効果を得ることができる。
【００１６】
前記窓に結露が発生するか否かを判定する結露発生判定手段（外側温度センサ６１、内側温度センサ６２、湿度センサ６３、制御装置６０）と、当該結露発生判定手段により結露が発生すると判定された場合に前記送風装置をＯＮ制御する送風制御手段（制御装置６０）とを設けることが好ましい。これにより、結露が発生するおそれがある場合に送風装置がＯＮ制御されるため、省エネを図りつつ、結露の防止を行うことができる。
【００１７】
また、結露発生判定手段として、室内の水蒸気圧を検出するための水蒸気圧検出手段（内側温度センサ６２、湿度センサ６３）と、室内における窓周辺の温度を検出する温度検出手段（外側温度センサ６１）と、結露が生じる場合の前記水蒸気圧及び前記窓周辺の温度の相関データを記憶したデータ記憶手段（制御装置６０）と、前記各種検出手段の検出結果と前記相関データを比較する比較手段（制御装置６０）とを備え、前記送風制御手段が、前記比較手段の比較結果に基づいて前記送風装置をＯＮ制御する構成とすることで、結露の発生を確実に予測することができ、結露の防止を確実に行うことができる。なお、結露の発生をより確実に予測すべく、温度検出手段により窓における室内側の面（室内側のガラス面）の温度を直接検出する構成とすることが好ましい。
【００１８】
複数個の建物ユニットで形成されるユニット建物においては、窓付きの所定の建物ユニットに前記送風装置と前記室内壁部とを予め組み込んでおき、その建物ユニットを含む複数個の建物ユニットを並べて建物を形成することが好ましい。これにより、所定の建物ユニットに風吹き出し装置を予め組み込んでおくことができ、現場での施工が容易になる利点がある。
【発明を実施するための最良の形態】
【００１９】
以下、本発明を具体化した一実施形態を図面に基づいて説明する。先ず、本実施形態の構成を図１〜図３に基づいて説明する。
【００２０】
図１に示すように、建物には室内外を仕切る仕切壁１０が設けられている。仕切壁１０は、室外側壁面を構成する外板１１と、室内側壁面を構成する内板１２とを備えた壁ユニットとして構成されている。仕切壁１０には、窓用開口部１３が形成されており、この窓用開口部１３にガラス窓１４が取り付けられている。
【００２１】
窓用開口部１３は、外板１１に形成された外側開口部２１と、内板１２に形成された内側開口部２２と、窓用開口部１３の周縁部を構成する額縁２３，２４，２５とにより形成されている。そして、外側開口部２１に取り付けられた窓枠サッシ２６に、ガラス窓１４がスライド自在に取り付けられている。ガラス窓１４は、窓サッシ３１にガラス板３２が保持されて構成されている。
【００２２】
外板１１と内板１２とは、所定の内部空間が形成されるように離間されている。これにより、窓用開口部１３は所定の奥行き寸法を有し、ガラス窓１４は内板１２に対して室外側に奥まった位置にある。
【００２３】
額縁２３〜２５のうち下額縁２５は、内板１２よりも室内側に突出するようにして取り付けられている。一方、上額縁２３及び上下に延びる縦額縁２４は、その室内側端部の位置が内板１２よりも室外側となるようにして取り付けられている。内板１２と、上額縁２３及び各縦額縁２４とのコーナ部分には、それぞれ両者の隙間を塞ぐようにして複数（本実施形態では、３個）のコーナカバー４０ａ，４０ｂ，４０ｃがネジ等により取り付けられている。
【００２４】
各コーナカバー４０ａ〜４０ｃは、アルミ等の金属板を曲げて形成されている。詳細には、各コーナカバー４０ａ〜４０ｃは、内板１２に当接する第１当接部４１と、額縁２３，２４に当接する第２当接部４２と、両当接部４１，４２を連結する連結部４３とを備えている。第１当接部４１及び第２当接部４２は共に直角に折り曲げて形成されており、第１当接部４１は内板１２における室外側を向く板面１２ａ及び内側開口部２２の周面２２ａに当接しており、第２当接部４２は額縁２３，２４にける窓用開口部１３外側を向く板面２３ａ，２４ａ及び室内側端面２３ｂ，２４ｂに当接している。また、連結部４３は、室内側に凸となるよう円弧状に曲げて形成されている。なお、コーナカバー４０ａ〜４０ｃは金属製に限定されることはなく、合成樹脂製としてもよい。
【００２５】
コーナカバー４０ａ〜４０ｃが設けられていることにより、内板１２と、各額縁２３，２４との間の隙間が確実に塞がれ、室内の気密性が確保されている。よって、室内外の熱の出入りが抑制されている。なお、図３に示すように、外板１１と内板１２との間には断熱材１５が設けられており、この点からも室内外の熱の出入りが抑制されている。
【００２６】
さて、本実施形態では、ガラス窓１４の結露防止装置５０が設けられている。そこで、かかる結露防止装置５０について以下に説明する。
【００２７】
図３に示すように、仕切壁１０の内部空間であって上額縁２３上には、送風装置としてのファンヒータ５１が配設されている。ファンヒータ５１は、図示しない駆動部により駆動される送風ファン５２と、当該送風ファン５２により送り出される風を暖めるヒータ５３とを備えている。なお、ヒータ５３は、自己温度制御機能を有するＰＴＣヒータにより構成されているが、他の汎用ヒータを用いる構成としてもよい。
【００２８】
ファンヒータ５１からの温風は、通気ダクト５５を通じてガラス板３２の室内側の面に向けて吹き出される。詳細には、上述したとおり各コーナカバー４０ａ〜４０ｃの連結部４３は室内側に凸となるよう円弧状に曲げて形成されており、各コーナカバー４０ａ〜４０ｃには各当接部４１，４２及び連結部４３により区画されるようにして収容部４４が形成されている。各収容部４４は連通されており、これら収容部４４に通気ダクト５５が収容されている。通気ダクト５５は各コーナカバー４０ａ〜４０ｃの全体に亘って設けられている。
【００２９】
各コーナカバー４０ａ〜４０ｃにおける第２当接部４２の内外を向く部位４２ａは額縁２３，２４よりも窓用開口部１３内側に延出しており、その延出部４５には内外に貫通したスリット４６が形成されている。スリット４６は、窓用開口部１３の周縁部に沿って等間隔で複数形成されている。
【００３０】
これらスリット４６に１対１で対応させて、通気ダクト５５には通気口５６が複数形成されている。各通気口５６の開口寸法は、各スリット４６の開口寸法と略同一となっている。そして、各コーナカバー４０ａ〜４０ｃの各スリット４６には、通気ダクト５５の各通気口５６が位置合わせされており、ファンヒータ５１から吹き出される温風は、通気ダクト５５を通り、各通気口５６及び各スリット４６を介して室内に吹き出される。延出部４５はガラス窓１４と対峙しているため、上記吹き出された温風はガラス板３２の室内側の面に当たる。上記のとおりスリット４６及び通気口５６が窓用開口部１３の周縁部に沿って複数形成されているため、ガラス板３２の周縁部に沿った複数の位置から温風を吹き出すことができる。特に、本構成によれば、ガラス板３２の上部及び両側部に向けて温風を吹き出すことができる。
【００３１】
以上の構成により、ガラス板３２における結露の発生を防止することができる。特に、温風が吹き出されるため、室内の温度低下を抑制しつつ結露を防止することができる。さらには、ガラス窓１４が外気で冷やされると、ガラス窓１４の室内側付近に冷気が発生して、この冷気が室内の床に向かって流れるといったコールドドラフト現象が想定されるが、上記のとおりガラス窓１４及びその周辺が温風により暖められるため、コールドドラフト現象の発生を抑制することができる。
【００３２】
ここで、本実施形態における建物は、複数の建物ユニットを組み合せて構築されるユニット建物であり、上述した各コーナカバー４０ａ〜４０ｃや、結露防止装置５０は予め建物ユニットに組み込まれている。また、建物ユニットにおいては、複数のガラス窓１４を有するユニットもある。この場合、一のファンヒータ５１を各ガラス窓１４に対して兼用することで、低コスト化を図りつつ、結露を防止することができる。
【００３３】
次に、上記ファンヒータ５１のＯＮ／ＯＦＦ制御について説明する。つまり、本実施形態では、ファンヒータ５１は常時作動しているのではなく、室内の環境に応じて制御装置６０によりＯＮ／ＯＦＦ制御される。
【００３４】
制御装置６０は、ＣＰＵや各種メモリ等を備えた周知のマイクロコンピュータを有してなり、入出力ポートを備えている。制御装置６０の入力側には、図３に示すように、外側温度センサ６１、内側温度センサ６２、及び湿度センサ６３が接続されている。外側温度センサ６１は、ガラス窓１４の室内側周辺の温度を検出するようにして配置されている。内側温度センサ６２は、室内の中央寄りの温度を検出するようにして配置されており、湿度センサ６３は、室内の中央寄りの湿度を検出するようにして配置されている。制御装置６０の出力側には、ファンヒータ５１が接続されている。そして、制御装置６０がＯＮ／ＯＦＦ制御を実行することにより、ファンヒータ５１の電源がＯＮ／ＯＦＦされる。このＯＮ／ＯＦＦにより送風ファン５２の駆動部及びヒータ５３の両方がＯＮ／ＯＦＦされる。
【００３５】
図４は、制御装置６０により実行されるＯＮ／ＯＦＦ制御処理を示すフローチャートである。本処理は、所定周期（例えば、１ｓｅｃ）で繰り返し実行される。
【００３６】
図４において、先ずステップＳ１１では、外側温度センサ６１、内側温度センサ６２及び湿度センサ６３の検出データを取得する。その後、ステップＳ１２では、取得したデータに基づいて算出処理を実行する。この算出処理では、制御装置６０のメモリに記憶された温度と水蒸気圧との関係を示すマップデータに基づいて、室内の水蒸気圧を算出し、さらにはその算出した水蒸気圧に対する結露発生の基準温度を算出する。
【００３７】
図５は、かかるマップデータを示す相関図である。このマップデータでは、横軸が温度（℃）、縦軸が水蒸気圧（ｍｍＨｇ）となるように設定されており、さらに各温度に対する飽和水蒸気圧の値が記憶されている（図５における飽和水蒸気圧線）。室内の水蒸気圧を算出する際には、先ず内側温度センサ６２の検出結果により室内の温度を把握し、その後、湿度センサ６３の検出結果により湿度を把握する。そして、把握した温度の飽和水蒸気圧に対する湿度の積により室内の水蒸気圧を算出する。例えば、把握した温度が２５℃の場合には、飽和水蒸気圧が２３ｍｍＨｇであり、この場合の把握した湿度が８０％の場合には、室内の水蒸気圧が約１８ｍｍＨｇであると算出する。また、この算出した室内の水蒸気圧が飽和水蒸気圧となる温度をマップデータから算出することで、結露発生の基準温度を算出する。例えば、算出した室内の水蒸気圧が上述した１８ｍｍＨｇである場合には、基準温度は２１℃であると算出する。
【００３８】
ＯＮ／ＯＦＦ制御処理の説明に戻り、ステップＳ１２にて算出処理を実行した後は、ステップＳ１３にてファンヒータ５１の電源がＯＮとなっているか否かを判定する。電源がＯＮとなっていない場合には、ステップＳ１４及びステップＳ１５の開始判定処理を実行し、電源がＯＮとなっている場合には、ステップＳ１６及びステップＳ１７の終了判定処理を実行する。
【００３９】
開始判定処理では、先ずステップＳ１４にて、外側温度センサ６１の検出結果により把握した温度が開始基準温度であるか否かを判定する。詳細には、算出処理にて算出した基準温度に対して１℃加算した温度を開始基準温度とする。そして、把握した温度が開始基準温度以下の場合には、ステップＳ１４にて肯定判定をし、開始基準温度を超えている場合には、ステップＳ１４にて否定判定をする。肯定判定をした場合には、ステップＳ１５にてファンヒータ５１の電源をＯＮ制御した後に開始判定処理を終了し、否定判定をした場合には、そのまま開始判定処理を終了する。このように、基準温度に対してプラス１℃した温度を開始基準温度とすることで、結露の発生を予防することができる。
【００４０】
終了判定処理では、先ずステップＳ１６にて、外側温度センサ６１の検出結果により把握した温度が終了基準温度であるか否かを判定する。詳細には、算出処理にて算出した基準温度に対して２℃加算した温度を終了基準温度とする。そして、把握した温度が終了基準温度を超えた場合には、ステップＳ１６にて肯定判定をし、終了基準温度以下の場合には、ステップＳ１６にて否定判定をする。肯定判定をした場合には、ステップＳ１７にてファンヒータ５１の電源をＯＦＦ制御した後に終了判定処理を終了し、否定判定をした場合には、そのまま終了判定処理を終了する。この場合に、開始基準温度に対して終了基準温度の方を高く設定しておくことで、ファンヒータ５１のＯＮ／ＯＦＦが繰り返されることが防止される。
【００４１】
以上詳述した本実施形態によれば、以下の優れた効果が得られる。
【００４２】
内板１２と各額縁２３，２４との隙間を塞ぐようにして設けられたコーナカバー４０ａ〜４０ｃに吹き出し口としてのスリット４６を形成し、当該スリット４６を介して結露防止用の風を吹き出すようにしたことにより、送風装置としてのファンヒータ５１を室内に設ける必要はなく、結露防止用の風の吹き出しに関する構成を良好なものとすることができる。また、気密性を高めるためのコーナカバー４０ａ〜４０ｃを有効利用しつつ、上記効果を得ることができる。さらには、室内において吹き出し口が目立たなくなり、室内の外観を損なうことなく上記効果を得ることができる。
【００４３】
ガラス窓１４の周縁に沿った複数の方向から結露防止用の風を吹き出すことで、ガラス窓１４に対して一方向から結露防止用の風が吹き出される構成に比べガラス窓１４のより広い領域に風を当てることができ、結露の防止を効率良く行うことができる。
【００４４】
ファンヒータ５１からの風をスリット４６に導く通気ダクト５５を設けたことにより、ファンヒータ５１からの風をスリット４６へ確実に導くことができる。特に、スリット４６が複数形成されているので、それらスリット４６に対応させて通気ダクト５５に通気口５６を形成することで、ファンヒータ５１からの風を各スリット４６へ確実に導くことができる。また、通気ダクト５５をコーナカバー４０ａ〜４０ｃの収容部４４に収容させたことにより、通気ダクト５５が室内にて露出することはなく室内の外観を損なうことはない。
【００４５】
ガラス窓１４に対して室内側に離間させてスリット４６を形成したことにより、スリット４６から吹き出される風がガラス窓１４の広い範囲に当たり、結露の防止を効率良く行うことができる。
【００４６】
制御装置６０を設け、結露が発生するおそれがある場合にファンヒータ５１をＯＮ制御するようにしたことで、省エネを図りつつ、結露の防止を行うことができる。また、外側温度センサ６１、内側温度センサ６２、及び湿度センサ６３を設け、さらに温度と水蒸気圧との関係を示すマップデータを制御装置６０に記憶させたことにより、結露の発生を確実に予測することができ、結露の防止を確実に行うことができる。
【００４７】
なお、本発明は上記実施形態の記載内容に限定されず、例えば次のように実施しても良い。
【００４８】
図６に示す建物７０においては、複数の部屋Ｒ１〜Ｒ４を一括して換気するセントラル換気装置が設けられている。詳細には、屋根裏７１には送風装置７２が設けられており、当該送風装置７２から各部屋Ｒ１〜Ｒ４に向けて通気ダクト７３ａ，７３ｂ，７３ｃ，７３ｄが延びている。これら通気ダクト７３ａ〜７３ｄにより、送風装置７２からの風が各部屋Ｒ１〜Ｒ４に導かれ、各部屋Ｒ１〜Ｒ４が一括して換気される。この場合に、建物７０には、複数のガラス窓Ｗ１，Ｗ２が設けられており、当該ガラス窓Ｗ１，Ｗ２の上側周縁部に向けて延びるように通気ダクト７３ｅ，７３ｆが設けられている。そして、通気ダクト７３ｅ，７３ｆにより導かれる風がガラス窓Ｗ１，Ｗ２に向けて吹き出され、結露が防止される。つまり、本構成によれば、セントラル換気装置の送風装置７２が結露防止装置の送風装置として兼用されており、セントラル換気と結露の防止とが一の送風装置７２により果たされ、低コスト化を図りつつ、両効果を得ることができる。また、複数のガラス窓Ｗ１，Ｗ２に対して一の送風装置７２が兼用され、かかる点からも低コスト化を図ることができる。
【００４９】
図７に示す建物８０においては、複数の部屋Ｒ１〜Ｒ４を一括して暖める床暖房装置が設けられている。詳細には、室外には温水発生機８１が設けられており、さらに各部屋Ｒ１〜Ｒ４の床下領域８２を通るようにして温水発生機８１からの温水を通す温水用ダクト８３が設けられている。この温水用ダクト８３に温水を通すことにより、各部屋Ｒ１〜Ｒ４の床が一括して暖められる。この場合に、建物８０には、複数のガラス窓Ｗ１，Ｗ２が設けられており、当該ガラス窓Ｗ１，Ｗ２の下側周縁部に向けて延びるように温水用ダクト８４，８５が形成されている。そして、これら温水用ダクト８４，８５により導かれた温水が各ガラス窓Ｗ１，Ｗ２の周縁部に設けられた結露防止装置のヒータとして機能し、当該ガラス窓Ｗ１，Ｗ２に向けて温風が吹き出され、結露が防止される。つまり、本構成によれば、床暖房装置の温水用ダクト８４，８５が結露防止装置のヒータとして兼用され、低コスト化を図りつつ、床暖房と結露の防止とを両立することができる。
【００５０】
なお、セントラル換気装置と床暖房装置とが共に設けられた建物においては、セントラル換気装置の送風装置を結露防止装置の送風装置として兼用し、床暖房装置の温水用ダクトを結露防止装置のヒータとして兼用する構成が考えられる。
【００５１】
コーナカバー４０ａ〜４０ｃに吹き出し口（上記実施形態ではスリット４６）を形成する構成としたが、これに代えて、額縁２３〜２５に吹き出し口を設けてもよい。
【００５２】
コーナカバー４０ａ〜４０ｃを筒状に形成することで、通気ダクト５５を介することなく風の吹き出しを行う構成としてもよい。この場合、構成の簡素化を図ることができる。
【００５３】
内板１２と下額縁２５との間にコーナカバーを設けてもよい。そして、当該コーナカバーにもスリットを形成し、さらに通気ダクトを設置する。これにより、ガラス窓１４の周縁の全方向から風が吹き出され、結露の防止をより効率良く行うことができる。
【００５４】
コーナカバー４０ａ〜４０ｃにより内板１２と額縁２３，２４との隙間を塞ぐのではなく、両者のコーナ部分を単に覆う構成としてもよい。この場合であっても、室内においてスリット４６を目立たないようにすることができる。
【００５５】
ファンヒータ５１の配置位置は上記実施形態における位置に限定されることはなく、例えば、室外にファンヒータ５１を設ける構成としてもよい。
【００５６】
送風装置にヒータを設けるか否かは任意である。但し、送風装置にヒータを設けることで、上述したとおりコールドドラフト現象の発生を防止することができる。
【００５７】
外側温度センサ６１によりガラス板３２における室内側の面の温度を直接検出する構成としてもよい。この場合、結露発生の予測をより確実に行うことができる。また、上記実施形態ではファンヒータ５１のＯＮ／ＯＦＦ制御処理を実行するために、ガラス窓１４の室内側周辺の温度、室内の温度、及び室内の湿度を検出する構成としたが、これに代えて、ガラス板３２における室内側の面に結露センサを取り付け、結露の発生を直接検出してファンヒータ５１のＯＮ／ＯＦＦ制御処理を実行する構成としてもよい。
【００５８】
制御装置６０において、送風ファン５２のＯＮ／ＯＦＦ制御と、ヒータ５３のＯＮ／ＯＦＦ制御とを別々に行う構成としてもよい。この場合、設定温度に達するまでに所定の時間を要するヒータ５３のＯＮ制御を先んじて行い、その後、送風ファン５２のＯＮ制御を行うようにすることができる。また、制御装置６０を設けずに、ファンヒータ５１のＯＮ／ＯＦＦを切り換え操作可能とするスイッチ装置を設けてもよい。
【００５９】
仕切壁１０は、屋内外を仕切るもの以外にも、部屋と廊下とを仕切る等、屋内空間を仕切るものであってもよい。また、本発明は、ユニット建物以外の建物にも適用することができる。
【図面の簡単な説明】
【００６０】
【図１】仕切壁に設けたガラス窓周辺の構成を示す斜視図。
【図２】結露防止用の風の吹き出し口に関する構成を説明するための説明図。
【図３】ガラス窓周辺の縦断面図。
【図４】制御装置において実行されるＯＮ／ＯＦＦ制御処理を示すフローチャート。
【図５】制御装置に記憶されたマップデータを示す相関図。
【図６】別の実施形態における結露防止装置を説明するための概略図。
【図７】別の実施形態における結露防止装置を説明するための概略図。
【符号の説明】
【００６１】
１０…仕切壁、１１…外板、１２…内板、１３…窓用開口部、１４…ガラス窓、２３，２４，２５…額縁、４０ａ〜４０ｃ…コーナカバー、４４…収容部、４６…吹き出し口としてのスリット、５０…結露防止装置、５１…送風装置としてのファンヒータ、５５…通気ダクト、６０…結露発生判定手段及び送風制御手段を構成する制御装置、６１…結露発生判定手段を構成する外側温度センサ、６２…結露発生判定手段を構成する内側温度センサ、６３…結露発生判定手段を構成する湿度センサ。
【図１】
0004769623.tif 000002
【図２】
0004769623.tif 000003
【図３】
0004769623.tif 000004
【図４】
0004769623.tif 000005
【図５】
0004769623.tif 000006
【図６】
0004769623.tif 000007
【図７】
0004769623.tif 000008